(57)【要約】      （修正有）【課題】使用利便性が向上するペンケースを提供する。【解決手段】ペンケースは、第１ハウジング１１０、第１カバー１２０、第２ハウジング１４０、第２カバー１５０及び第１付属品１６０を含む。第１ハウジングに第１キャビティ１１１が開設され、第１ハウジングの一端面に取付ボス１１３が設けられる。第１カバーは第１ハウジング上に回動自在に接続され、第１キャビティを密閉する。第２ハウジングは第１ハウジングに回動自在に接続され、第２ハウジングに第２キャビティ１４１が開設される。第２カバーは第２ハウジング上に回動自在に接続され、第２キャビティを密閉する。第１、第２キャビティに文房具を収納する。第１付属品は鏡、時間割又は電卓であり、第１キャビティ内に位置し、第１カバーに取り外し可能に接続される。【選択図】図１
0003222746.tif 000002
【実用新案登録請求の範囲】
【請求項１】
第１キャビティが開設され、且つ一端面に取付ボスが設けられた第１ハウジングと、
前記第１ハウジング上に回動自在に接続され、且つ前記第１キャビティを密閉するように前記第１ハウジングに設けられた第１カバーと、
前記第１ハウジングに回動自在に接続され、且つ第２キャビティが開設された第２ハウジングと、
前記第２ハウジング上に回動自在に接続され、且つ前記第２キャビティが密閉されるように前記第２ハウジング上に覆設された第２カバーと、
前記第１キャビティ内に位置し、前記第１カバー上に取り外し可能に接続された第１付属品と、を含むことを特徴とするペンケース。
【請求項２】
前記第１付属品は、前記第１カバーに摺動可能に接続され、
前記第１カバーの前記第２カバーと離反する面に第１収容溝が設けられ、前記第１付属品は前記第１収容溝内に位置し、前記第１カバーに摺動可能に接続される、ことを特徴とする請求項１に記載のペンケース。
【請求項３】
前記第１カバー上に２つの第１位置制限リブが設けられ、２つの前記第１位置制限リブはともに前記第１付属品に当接し且つ摺動可能に接続され、前記各第１位置制限リブの延伸方向は前記第１付属品の摺動方向と同じである、ことを特徴とする請求項２に記載のペンケース。
【請求項４】
機能アクセサリーをさらに含み、前記取付ボスに凹溝が開設され、前記機能アクセサリーは前記凹溝内に嵌合され、前記取付ボスに接続される、ことを特徴とする請求項１に記載のペンケース。
【請求項５】
前記機能アクセサリーは、電子時計、折りたたみ式ライト、折りたたみ式扇子、又はパズルナンバーゲームである、ことを特徴とする請求項４に記載のペンケース。
【請求項６】
前記第１付属品は、鏡、カリキュラム、板、又は電卓である、ことを特徴とする請求項１に記載のペンケース。
【請求項７】
前記ペンケースは、第２付属品をさらに含み、前記第２付属品は前記第２キャビティ内に位置し、前記第２カバー上に取り外し可能に接続される、ことを特徴とする請求項１乃至請求項６のいずれか１項に記載のペンケース。
【請求項８】
前記第２付属品は、前記第２カバーに摺動可能に接続される、ことを特徴とする請求項７に記載のペンケース。
【請求項９】
前記第２カバーの前記第１カバーと離反する面に第２収容溝が設けられ、前記第２付属品は前記第２収容溝内に位置し、前記第２カバーに摺動可能に接続される、ことを特徴とする請求項８に記載のペンケース。
【請求項１０】
前記第２カバー上に２つの第２位置制限リブが設けられ、２つの前記第２位置制限リブはともに前記第２付属品に当接し且つ摺動可能に接続され、前記各第２位置制限リブの延伸方向は前記第２付属品の摺動方向と同じである、ことを特徴とする請求項８に記載のペンケース。
【考案の詳細な説明】
【技術分野】
【０００１】
本考案は、文房具の技術分野に関し、特にペンケースに関する。
【背景技術】
【０００２】
ペンケースの使用利便性を向上させるために、従来のペンケースには付属品が設けられている。付属品は、時間割り、鏡又は電卓などの異なる補助機能を有するものであり、ペンケースとの強固な接続を確保するためにペンケースに直接射出成形される。
【０００３】
付属品が破損すると、この付属品の機能を有するペンケースの使用利便性が低下するため、使用者は付属品の破損により新しいペンケースに取り替えることを考えることがある。つまり、ペンケースはその付属品の破損により全体が廃棄されるため、ペンケースの使用寿命が短くなる。また、従来のペンケースは、構造が複雑で、体積が大きく、付属品がペンケースの大きなスペースを占めるため、ペンケースの使用利便性及び携帯利便性が良くない。
【考案の概要】
【考案が解決しようとする課題】
【０００４】
そこで、使用利便性が良好で、使用寿命が長く、コストが低く、携帯利便性が良好なペンケースを提供する必要がある。
【０００５】
第１キャビティが開設され、且つ一端面に取付ボスが設けられた第１ハウジングと、
前記第１ハウジング上に回動自在に接続され、且つ前記第１キャビティを密閉するように前記第１ハウジングに設けられた第１カバーと、
前記第１ハウジングに回動自在に接続され、且つ第２キャビティが開設された第２ハウジングと、
前記第２ハウジング上に回動自在に接続され、且つ前記第２キャビティが密閉されるように前記第２ハウジング上に覆設された第２カバーと、
前記第１キャビティ内に位置し、前記第１カバー上に取り外し可能に接続された第１付属品と、
を含むペンケース。
【０００６】
前記ペンケースにおいて、第１キャビティ及び第２キャビティはともに密閉されることにより、第１キャビティ及び第２キャビティ内にボールペン、ペン又は消しゴムなどの文房具を収納することができる。第１ハウジングと第２ハウジングが回動自在に接続され、且つ第１カバーが第１ハウジング上に覆設され、第２カバーが第２ハウジング上に覆設されることにより、携帯の場合、第１カバーが第２カバーに当接するように第１ハウジングと第２ハウジングを互いに閉合することができる。また、文房具又は第１付属品を使用する必要がある場合、第１ハウジングを回動して第１ハウジング及び第２ハウジングを開き、第１カバー及び第２カバーを露出させる。文房具を使用しようとする場合、第１カバー又は第２カバーを回動すればよい。第１付属品を使用しようとする場合、第１カバーを回動すればよい。第１カバーが第１ハウジング上に回動自在に接続され、且つ第１付属品が第１キャビティ内に位置し、第１カバー上に取り外し可能に接続されることにより、不注意でペンケースを落下させて開いた場合であっても、第１付属品は第１カバーから分離又は異物と直接衝突しにくいため、第１付属品の使用寿命が向上し、第１付属品は異物と衝突しにくく、不注意で第１付属品を損傷させた場合であっても、使用者は第１付属品を取り外して交換することができることで、ペンケースの使用利便性が向上する。さらに、文房具は、第１キャビティ及び／又は第２キャビティ内に収納されてもよい。第１付属品が第１カバー上に取り外し可能に接続されることにより、ペンケースは文房具及び第１付属品を兼ね備えることができる。取付ボスが第１ハウジングの一端面に設けられており、第１付属品が第１カバー上に置かれ且つ第１キャビティのスペースを過度に占めることがないため、ペンケースの収納スペースの最大化が確保され、ペンケースの構造が簡単で、良好な使用利便性及び携帯利便性を有する。
【０００７】
一実施例において、前記第１付属品は前記第１カバーに摺動可能に接続される。これによって、第１付属品と第１カバーとの取り外し可能な接続は簡単で信頼性が高い。
前記第１カバーの前記第２カバーと離反する面に第１収容溝が設けられ、前記第１付属品は前記第１収容溝第１カバーに摺動可能に接続される。第１付属品を取り外す必要がある場合、第１付属品が第１カバーから分離するまで、第１カバーに対して摺動するように第１付属品を牽引することにより、第１付属品の第１カバーからの取り外しが完了する。
【０００８】
一実施例において、前記第１カバー上に２つの第１位置制限リブが設けられ、２つの前記第１位置制限リブはともに前記第１付属品に当接し且つ摺動可能に接続される。これによって、第１付属品と第１位置制限ボスとの摺動はよりスムーズになり、第１カバーに対する第１付属品のより良好な摺動取付が確保される。
前記各第１位置制限リブの延伸方向は前記第１付属品の摺動方向と同じである。これによって、第１付属品は第１位置制限リブに対してより良好に摺動することができる。
【０００９】
一実施例において、機能アクセサリーをさらに含む。前記取付ボスに凹溝が開設され、前記機能アクセサリーは前記凹溝内に収納され、前記取付ボスに接続される。
【００１０】
一実施例において、前記機能アクセサリーは、電子時計、折りたたみ式ライト、折りたたみ式扇子又はパズルナンバーゲームである。
【００１１】
一実施例において、前記第１付属品は、鏡、時間割り又は電卓である。
【００１２】
一実施例において、前記ペンケースは、第２付属品をさらに含む。前記第２付属品は前記第２キャビティ内に位置し、前記第２カバー上に取り外し可能に接続される。文房具、第１付属品又は第２付属品を使用する必要がある場合、第１ハウジングを回動して第１ハウジング及び第２ハウジングを開き、第１カバー及び第２カバーを露出させる。文房具を使用しようとする場合、第１カバー又は第２カバーを回動すればよい。第１付属品を使用しようとする場合、第１カバーを回動すればよい。第１カバーが第１ハウジング上に回動自在に接続され、且つ第１付属品が第１キャビティ内に位置し、第１カバー上に取り外し可能に接続されることにより、不注意でペンケースを落下させて開いた場合であっても、第１付属品は第１カバーから分離又は異物と直接衝突しにくいため、第１付属品の使用寿命が向上し、第１付属品は異物と衝突しにくく、不注意で第１付属品を損傷させた場合であっても、使用者は第１付属品を取り外して交換することができることで、ペンケースの使用利便性が向上する。第２付属品を使用する必要がある場合、回動第２カバーを回動すればよい。第２カバーが第２ハウジングに回動自在に接続、且つ第２付属品が第２キャビティ内に位置し、第２カバー上に取り外し可能に接続されることにより、不注意でペンケースを落下させて開いた場合であっても、第２付属品は、露出して第２カバーから分離することがなく、第２付属品の使用寿命が向上し、第２付属品は異物と衝突しにくく、不注意で第２付属品を損傷させた場合であっても、使用者は第２付属品を取り外して交換することができることで、ペンケースの使用利便性が向上する。
【００１３】
一実施例において、前記第２付属品は前記第２カバーに摺動可能に接続される。これによって、第２付属品と第２カバーとの取り外し可能な接続は簡単で信頼性が高い。
【００１４】
一実施例において、前記第２カバーの前記第１カバーと離反する面に第２収容溝が設けられ、前記第２付属品は前記第２収容溝内に位置し前記第２カバーに摺動可能に接続される。第２付属品を取り外す必要がある場合、第２付属品が第２カバーから分離するまで、第２カバーに対して摺動するように第１付属品を牽引することにより、第２付属品の第２カバーからの取り外しが完了する。
一実施例において、前記第２カバー上に２つの第２位置制限リブが設けられ、２つの前記第２位置制限リブはともに前記第２付属品に当接し且つ摺動可能に接続される。これによって、第２付属品と第２位置制限ボスとの摺動はよりスムーズになり、第２カバーに対する第２付属品のより良好な摺動取付が確保される。
【００１５】
一実施例において、前記各第２位置制限リブの延伸方向は前記第２付属品の摺動方向と同じである。これによって、第２付属品は第２位置制限リブに対してより良好に摺動することができる。
【図面の簡単な説明】
【００１６】
【図１】一実施例に係るペンケースの分解模式図である。
【図２】図１に示されるペンケースの別の分解模式図である。
【図３】別の実施例に係るペンケースの第１付属品の模式図である。
【図４】図１に示されるペンケースの第１蓋板の模式図である。
【図５】図１に示されるペンケースのＡでの拡大模式図である。
【考案を実施するための形態】
【００１７】
本考案の理解を容易にするために、以下、図面を参照しながらペンケースをより具体的に説明する。図にはペンケースの好適な実施例が示される。しかし、ペンケースは、多くの異なる形態で実現することができ、本明細書に記載の実施例に限定されない。これらの実施例は、ペンケースの開示内容をより明らかにするためのものである。
【００１８】
図１及び図２に示すように、一実施例のペンケース１００は、第１ハウジング１１０、第１カバー１２０、機能アクセサリー１３０、第２ハウジング１４０、第２カバー１５０及び第１付属品１６０を含む。前記第１ハウジング１１０に第１キャビティ１１１が開設され、前記第１ハウジングの一端面に取付ボス１１３が設けられる。前記第１カバーは、前記第１ハウジング上に回動自在に接続され、且つ前記第１カバーは、前記第１キャビティを密閉するように前記第１ハウジング上に覆設される。前記機能アクセサリー１３０は、前記取付ボス上に接続される。第２ハウジングは、前記第１ハウジングに回動自在に接続され、前記第２ハウジング１４０に第２キャビティ１４１が開設される。前記第２カバーは、前記第２ハウジング上に回動自在に接続され、且つ前記第２キャビティを密閉するように前記第２ハウジング上に覆設される。前記第２カバーはさらに前記第１カバーに当接する。前記第１付属品１６０は、前記第１キャビティ１１１内に位置し、前記第１カバー上に取り外し可能に接続される。本実施例において、第１ハウジング及び第２ハウジングの断面はともに半円形である。
【００１９】
一実施例において、第２カバーの、第２ハウジングに回動接続されたエッジは、第１カバーの、第１ハウジングに回動接続されエッジから遠く離れて設けられる。これによって、第１カバーの回動と第２カバーの回動が互いに干渉することが回避され、ペンケースの使用利便性が向上する。
【００２０】
携帯の場合、第１カバーが第２カバーに当接するように第１ハウジングと第２ハウジングを互いに閉合することができる。この場合、ペンケースは円柱状であり、ペンケースの構造は緊密で、携帯に便利である。使用の場合、第１カバー及び第２カバーが露出するように第１ハウジング及び第２ハウジングを開くことができる。この場合、第１ハウジングに対して第１カバーを回動し、第１キャビティ内の文房具を取り出し、第１付属品を使用することができ、或いは第２ハウジングに対して第２カバーを回動し、第２キャビティ内の文房具取り出すことができる。
【００２１】
図１に示すように、一実施例において、前記第１付属品１６０は、鏡、時間割り又は電卓である。本実施例において、第１付属品１６０は、時間割りである。図３に示すように、他の実施例において、第１付属品１６０は、鏡であってもよい。製造時に、鏡、時間割りをサイズ及び形状が同一の部品に作成することができる。これによって、使用者は必要に応じて柔軟に交換することができる。従来のペンケースと比較して、上述ペンケースは、鏡、時間割り及び電卓を含むペンケースとしてセット販売することができる。これによって、使用者は１つのペンケースを買うだけでよく、使用コストが大幅に削減され、利便性が向上する。本実施例において、時間割りは、書き込み・消去可能なプレートである。
【００２２】
図１に示すように、本実施例において、機能アクセサリー１３０は電子時計である。使用者がペンケースを持っている場合、電子時計を装着する必要がなく、電子時計をチェックするだけでよいため、ペンケースの使用利便性が大きく向上する。他の実施例において、機能アクセサリー１３０は、折りたたみ式ライト又は折りたたみ式扇子などの電子部品であってもよい。又は、機能アクセサリー１３０は、デジタル華容道（三国志スライドパズル）、加減乗除などのパズルナンバーゲームであってもよい。前記ペンケースは、第１キャビティ及び第２キャビティがともに密閉されることにより、第１キャビティ及び第２キャビティ内にボールペン、ペン又は消しゴムなどの文房具を収納することができる。第１ハウジングと第２ハウジングが回動自在に接続され、且つ第１カバーが第１ハウジング上に覆設され、第２カバーが第２ハウジング上に覆設されることにより、携帯の場合、第１カバーが第２カバーに当接するように第１ハウジングと第２ハウジングを互いに閉合することができる。また、文房具又は第１付属品を使用する必要がある場合、第１ハウジングを回動して第１ハウジング及び第２ハウジングを開き、第１カバー及び第２カバーを露出させる。文房具を使用しようとする場合、第１カバー又は第２カバーを回動すればよい。第１付属品を使用しようとする場合、第１カバーを回動すればよい。第１カバーが第１ハウジング上に回動自在に接続され、且つ第１付属品が第１キャビティ内に位置し、第１カバー上に取り外し可能に接続されることにより、不注意でペンケースを落下させて開いた場合であっても、第１付属品は第１カバーから分離又は異物と直接衝突しにくいため、第１付属品の使用寿命が向上し、第１付属品は異物と衝突しにくく、不注意で第１付属品を損傷させた場合であっても、使用者は第１付属品を取り外して交換することができることで、ペンケースの使用利便性が向上する。
【００２３】
また、機能アクセサリー１３０は取付ボスに接続され、文房具は第１キャビティ及び／又は第２キャビティ内に収納されてもよい。第１付属品が第１カバー上に取り外し可能に接続されることにより、ペンケースは文房具及び第１付属品を兼ね備えることができる。取付ボスが第１ハウジングの一端面に設けられており、第１付属品が第１カバー上に置かれ且つ第１キャビティのスペースを過度に占めることがないため、ペンケースの収納スペースの最大化が確保され、ペンケースの構造が簡単で、良好な使用利便性及び携帯利便性を有する。
【００２４】
図１に示すように、第１付属品と第１カバーとの取り外し可能な接続を簡単で確実にするために、一実施例において、前記第１付属品１６０は前記第１カバー１２０に摺動可能に接続される。これによって、第１付属品と第１カバーとの取り外し可能な接続は簡単で信頼性が高い。
【００２５】
図１及び図４に示すように、一実施例において、前記第１カバー１２０の前記第２カバー１５０と離反する面に第１収容溝１２２が設けられ、前記第１付属品は前記第１収容溝第１カバーに摺動可能に接続される。第１付属品を取り外す必要がある場合、第１付属品が第１カバーから分離するまで、第１カバーに対して摺動するように第１付属品を牽引することにより、第１付属品の第１カバーからの取り外しが完了する。本実施例において、第１付属品は、第１カバー上に摺動可能に嵌合される。これによって、第１付属品は、第１ハウジング内の多くのスペースを占めることがなく、第１キャビティに多くの文房具を収納できることが確保される。
【００２６】
図４に示すように、一実施例において、前記第１カバー１２０に２つの第１位置制限リブ１２４が設けられる。図１に示すように、２つの前記第１位置制限リブはともに前記第１付属品１６０に当接し且つ摺動可能に接続される。これによって、第１付属品と第１位置制限ボスとの摺動はよりスムーズになり、第１カバーに対する第１付属品のより良好な摺動取付が確保される。
【００２７】
図１に示すように、一実施例において、前記各第１位置制限リブ１２４の延伸方向は前記第１付属品１６０の摺動方向と同じである。これによって、第１付属品は第１位置制限リブに対してより良好に摺動することができる。本実施例において、第１位置制限ボスは、第１カバー上の第１収容溝が開設された面に設けられ、第１位置制限ボスの第１カバー上での投影の少なくとも一部は第１収容溝内に位置する。これによって、第１位置制限ボスは第１付属品に良好に当接する。一実施例において、第１収容溝は、第１カバー上の第１ハウジングに回動可能に接続された辺から遠く離れた辺まで延伸する。これによって、第１カバーと第１付属品との相対摺動過程において、第１ハウジングに干渉されることがない。
【００２８】
他の実施例において、第１付属品と第１位置制限ボスとの摺動をよりスムーズにするために、前記第１カバーに第１位置制限リブを設ける形態に限定されず、第１位置制限リブを省略してもよい。一実施例において、第１カバー上に２つの第１シュートが開設され、２つの第１シュートはともに第１収容溝に連通し、第１付属品の両辺はそれぞれ２つの第１シュート内に位置し、第１カバーに摺動可能に接続される。これによって、第１付属品は第１位置制限リブに対してより良好に摺動することができる。
【００２９】
他の実施例において、第１付属品と第１カバーとの取り外し可能な接続は、摺動可能な接続に限定されない。一実施例において、第１付属品と第１カバーとの接続は、係合接続であってもよい。
【００３０】
図１に示すように、一実施例において、前記取付ボス１１３上に凹溝１１３ａが開設され、前記機能アクセサリー１３０は前記凹溝内に嵌合される。これによって、機能アクセサリー１３０は取付ボスにより良好に接続される。他の実施例において、機能アクセサリーと取付ボスとの接続は嵌合接続に限定されず、ネジ接続であってもよい。一実施例において、取付ボス上に雌ネジが設けられ、機能アクセサリーの外壁に雄ネジが設けられ、雌ネジと雄ネジの組み合わせにより、取付ボスと機能アクセサリーとがネジ接続される。
【００３１】
図１及び図５に示すように、一実施例において、前記ペンケース１０は、第２付属品１７０をさらに含む。前記第２付属品は、前記第２キャビティ１４１内に位置し、前記第２カバー１５０上に取り外し可能に接続される。文房具、第１付属品又は第２付属品を使用する必要がある場合、第１ハウジングを回動して第１ハウジング及び第２ハウジングを開き、第１カバー及び第２カバーを露出させる。文房具を使用しようとする場合、第１カバー又は第２カバーを回動すればよい。第１付属品を使用しようとする場合、第１カバーを回動すればよい。第１カバーが第１ハウジング上に回動自在に接続され、且つ第１付属品が第１キャビティ内に位置し、第１カバー上に取り外し可能に接続されることにより、不注意でペンケースを落下させて開いた場合であっても、第１付属品は第１カバーから分離又は異物と直接衝突しにくいため、第１付属品の使用寿命が向上し、第１付属品は異物と衝突しにくく、不注意で第１付属品を損傷させた場合であっても、使用者は第１付属品を取り外して交換することができることで、ペンケースの使用利便性が向上する。第２付属品を使用する必要がある場合、回動第２カバーを回動すればよい。第２カバーが第２ハウジングに回動自在に接続、且つ第２付属品が第２キャビティ内に位置し、第２カバー上に取り外し可能に接続されることにより、不注意でペンケースを落下させて開いた場合であっても、第２付属品は、露出して第２カバーから分離することがなく、第２付属品の使用寿命が向上し、第２付属品は異物と衝突しにくく、不注意で第２付属品を損傷させた場合であっても、使用者は第２付属品を取り外して交換することができることで、ペンケースの使用利便性が向上する。
【００３２】
第２付属品と第２カバーとの取り外し可能な接続を簡単で確実にするために、一実施例において、前記第２付属品を前記第２カバーに摺動可能に接続する。これによって、第２付属品と第２カバーとの取り外し可能な接続は簡単で信頼性が高い。
【００３３】
図５に示すように、一実施例において、前記第２カバー１５０の前記第１カバー１２０と離反する面に第２収容溝１５２が設けられ、前記第２付属品１７０は前記第２収容溝内に位置し、前記第２カバー１５０に摺動可能に接続される。第２付属品を取り外す必要がある場合、第２付属品が第２カバーから分離するまで、第２カバーに対して摺動するように第２付属品を牽引することにより、第２付属品の第２カバーからの取り外しが完了する。本実施例において、第２付属品は、第２カバー上に摺動可能に嵌合される。これによって、第２付属品は、第２ハウジング内の多くのスペースを占めることがなく、第２キャビティに多くの文房具を収納できることが確保される。一実施例において、第２付属品と第１付属品のサイズ及び形状は同じである。これによって、第１付属品と第２付属品の取り付け位置は互いに置き換えることができる。
【００３４】
図２に示すように、一実施例において、前記第２付属品１７０は鏡、時間割り又は電卓である。本実施例において、第２付属品１７０は電卓である。他の実施例において、第２付属品は、鏡又は時間割りであってもよい。製造時に、鏡、時間割りをサイズ及び形状が同一の部品に作成することができる。これによって、使用者は必要に応じて柔軟に交換することができる。このようにして、同一のペンケースに対して、鏡及び時間割りが同時に設けられてもよく、鏡及び電卓が同時に設けられてもよく、電卓及びカリキュラムが同時に設けられてもよい。これによって、ペンケースの使用利便性がさらに向上する。
【００３５】
図４に示すように、一実施例において、前記第２カバー１５０に２つの第２位置制限リブ１５４が設けられる。図１に示すように、２つの前記第２位置制限リブはともに前記第２付属品１７０に当接し且つ摺動可能に接続される。これによって、第２付属品と第２位置制限ボスとの摺動はよりスムーズになり、第２カバーに対する第２付属品のより良好な摺動取付が確保される。
【００３６】
図１に示すように、一実施例において、前記各第２位置制限リブ１５４の延伸方向は前記第２付属品１７０の摺動方向と同じである。これによって、第２付属品は第２位置制限リブに対してより良好に摺動することができる。本実施例において、第２位置制限ボスは、第２カバー上の第２収容溝が開設された面に設けられ、第２位置制限ボスの第２カバー上での投影の少なくとも一部は第２収容溝内に位置する。これによって、第２位置制限ボスは第２付属品に良好に当接する。一実施例において、第２収容溝は、第２カバー上の第２ハウジングに回動可能に接続された辺から遠く離れた辺まで延伸する。これによって、第２カバーと第２付属品との相対摺動過程において、第２ハウジングに干渉されることがない。
【００３７】
他の実施例において、第２付属品と第２位置制限ボスとの摺動をよりスムーズにするために、前記第２カバーに第２位置制限リブを設ける形態に限定されず、第２位置制限リブを省略してもよい。一実施例において、第２カバー上に２つの第２シュートが開設され、２つの第２シュートはともに第２収容溝に連通し、第２付属品の両辺はそれぞれ２つの第２シュート内に位置し、第２カバーに摺動可能に接続される。これによって、第２付属品と第２位置制限ボスとの摺動はよりスムーズになる。
【００３８】
他の実施例において、第２付属品と第２カバーとの取り外し可能な接続は、摺動可能な接続に限定されない。一実施例において、第２付属品と第２カバーとの接続は、係合接続であってもよい。
【００３９】
前記実施例の各技術特的徴は任意に組み合わせることができるが、説明を簡潔にするために、前記実施例中の各技術的特徴の全ての可能な組み合わせを列挙してはいない。しかし、これらの技術的特徴の組み合わせに矛盾がない限り、本明細書の範囲に含まれるものと認められるべきである。
【００４０】
前記実施例は、本考案のいくつかの実施形態に過ぎず、説明は具体的かつ詳細であるが、本考案の範囲を制限するものではない。当業者にとって、本考案の技術的思想から逸脱しない限り、若干の変形及び改良を行うことができ、いずれも本考案の保護範囲に含まれる。従って、本考案の保護範囲は、実用新案登録請求の範囲に基づくべきである。
【図１】
0003222746.tif 000003
【図２】
0003222746.tif 000004
【図３】
0003222746.tif 000005
【図４】
0003222746.tif 000006
【図５】
0003222746.tif 000007